(57)【要約】【課題】引き戸が敷居の凹凸から脱落しても引き戸自体が転倒することなく、手摺自体も脱落することなく、使用者が安全に手摺を把持して移動でき、且つ引き戸が開いた状態では手摺棒が開口部への人や物の出入に支障とならない引き戸用手摺を提供すること。【解決手段】引き戸１と、ヒンジ機構５と、手摺棒４と、案内レール８と、回転ローラ７とを備え、引き戸１が閉じた状態では、手摺棒４は引き戸１の正面に対向した位置で略水平状態でヒンジ機構５と回転ローラ７を介して引き戸１と案内レール８に支持され、引き戸１に開く方向の力が作用すると回転ローラ７が案内レール７に沿って回転移動し手摺棒４をヒンジ機構５を中心に回動させ他端を上方に押上げ、引き戸の全開状態では手摺棒４は所定角度で傾斜した状態又は垂直状態でヒンジ機構５と回転ローラ７を介して引き戸１と案内レール７に支持される。【選択図】図１
2011231513.tif 000002
【特許請求の範囲】
【請求項１】
引き戸に一端又は該一端の近傍がヒンジ機構で回動自在に支持された手摺棒と、前記引き戸とは別体の固定体に取り付けられた案内レールと、前記手摺棒に前記ヒンジ機構から他端側に所定の間隔を設けて回転自在に取り付けられ前記案内レールに沿って移動する回転ローラとを備え、
前記引き戸が閉じた状態では、前記手摺棒は前記引き戸正面に対向した位置で略水平状態で前記ヒンジ機構と前記回転ローラを介して前記引き戸と前記案内レールに支持され、
前記引き戸に開く方向の力が作用すると前記回転ローラが案内レールに沿って回転移動し前記手摺棒の他端を上方に押上げ、前記引き戸が全開状態では前記手摺棒は所定角度で傾斜した状態又は垂直状態で前記ヒンジ機構と前記回転ローラを介して前記引き戸と前記案内レールに支持されることを特徴とする引き戸用手摺。
【請求項２】
請求項１に記載の引き戸用手摺において、
前記案内レールは所定の曲率で水平状態から垂直状態に到る又は所定角度傾斜して直線状に上昇する前記回転ローラが回転する転走面を有していることを特徴とする引き戸用手摺。
【請求項３】
請求項１又は２に記載の引き戸用手摺において、
前記案内レールは前記引き戸とは別体の支柱に取り付けられていることを特徴とする引き戸用手摺。
【請求項４】
請求項１又は２又は３に記載の引き戸用手摺において、
前記手摺棒の他端又はその近傍にロープの一端を取り付け、該ロープの他端は前記手摺棒の他端の押上げ荷重を軽減させるバランス用巻上下機構に取り付けられていることを特徴とする引き戸用手摺。
【請求項５】
１個又は複数個の引き戸を備えた引き戸装置であって、
前記各引き戸に前記引き戸用手摺を取り付けたことを特徴とする引き戸装置。
【請求項６】
請求項５に記載の引き戸装置において、
前記引き戸が全閉位置で敷居の凹状溝内でガタついたり、該凹状溝から脱落するのを防止する敷居ガタ付き脱落防止機構を備えていることを特徴とする引き戸装置。
【発明の詳細な説明】
【技術分野】
【０００１】
本発明は引き戸の正面に対向して取り付けられ、引き戸の開閉に連動し閉じ状態では略水平状態を維持し、引き戸の開き動作に連動し回動し全開状態では所定角度で傾斜又は垂直状態となる引き戸用手摺及び該引き戸用手摺を取り付けた引き戸装置に関するものである。
【背景技術】
【０００２】
高齢者や身体障害者が安全に移動するため容易に把持できる手摺が必要である。そのため屋内外の階段に手摺が設けられ、更に屋内の廊下や室内の壁にも手摺が設けられている。例えば、廊下に面している部屋の出入口には人の出入の邪魔になる等の理由で手摺が設けられない場合が多い。高齢者や身体障害者にとって部屋の出入口を横切って移動する場合、手摺がないと容易に移動ができない。そこで部屋の出入口に設けた引き戸の正面にも手摺を設け、高齢者や身体障害者が容易に把持できるようにする必要がある。従来この種の引き戸正面に取り付ける手摺として特許文献１及び２に開示されたものがある。
【先行技術文献】
【特許文献】
【０００３】
【特許文献１】特開平１０−９６３７５号公報
【特許文献２】特開平１１−３５０６９４号公報
【発明の概要】
【発明が解決しようとする課題】
【０００４】
特許文献１に開示された手摺付き扉は、壁面寄りに位置する引き戸の手摺の軸と、奥に位置する引き戸の手摺の軸を同一線上に位置させ、奥に位置する引き戸の手摺の端部を壁面寄りの引き戸の手摺の内部に挿入するように構成している。また、特許文献２に開示された手摺装置は壁開口部に設けられる引き戸に可動手摺棒を設け、引き戸の閉鎖状態で可動手摺棒と開口部に隣接する壁部に設けられた固定手摺とを略接続するよう配置している。
【０００５】
しかしながら、引用文献１及び２に開示されたものは、手摺や可動手摺棒を引き戸の正面に取り付ける構成であるので、引き戸が敷居の凹凸から脱落し、転倒すると使用者も一緒に転倒するという安全上の問題がある。
【０００６】
本発明は上述の点に鑑みてなされたもので、引き戸が敷居の凹凸から脱落しても引き戸自体が転倒することなく、手摺自体も脱落することなく、使用者が安全に手摺を把持して移動でき、且つ引き戸が開いた状態では手摺棒が引き戸が取り付けられた開口部の出入に支障とならない引き戸用手摺及び該引き戸用手摺を取り付けた引き戸装置を提供することを目的とする。
【課題を解決するための手段】
【０００７】
上記の課題を解決するために、引き戸に一端又は該一端の近傍がヒンジ機構で回動自在に支持された手摺棒と、引き戸とは別体の固定体に取り付けられた案内レールと、手摺棒にヒンジ機構から他端側に所定の間隔を設けて回転自在に取り付けられ案内レールに沿って移動する回転ローラとを備え、引き戸が閉じた状態では、手摺棒は引き戸正面に対向した位置で略水平状態で前記ヒンジ機構と回転ローラを介して引き戸と案内レールに支持され、引き戸に開く方向の力が作用すると回転ローラが案内レールに沿って回転移動し手摺棒の他端を上方に押上げ、引き戸の全開状態では手摺棒は所定角度で傾斜した状態又は垂直状態でヒンジ機構と回転ローラを介して引き戸と案内レールに支持されることを特徴とする引き戸用手摺にある。
【０００８】
また、本発明は、上記引き戸用手摺において、案内レールは所定の曲率で水平状態から垂直状態に到る又は所定角度傾斜して直線状に上昇する回転ローラが回転する転走面を有していることを特徴とする。
【０００９】
また、本発明は、上記引き戸用手摺において、案内レールは引き戸とは別体の支柱に取り付けられていることを特徴とする。
【００１０】
また、本発明は、上記引き戸用手摺において、手摺棒の他端又はその近傍にロープの一端を取り付け、該ロープの他端は手摺棒の他端の押上げ荷重を軽減させるバランス用巻上下機構に取り付けられていることを特徴とする。
【００１１】
また、本発明は、１個又は複数個の引き戸装置を備えた引き戸装置であって、各引き戸に引き戸用手摺を取り付けたことを特徴とする。
【００１２】
また、本発明は、上記引き戸装置において、引き戸が全閉位置で敷居の凹状溝内でガタついたり、該凹状溝から脱落するのを防止する敷居ガタ付き脱落防止機構を備えていることを特徴とする。
【発明の効果】
【００１３】
本発明によれば、引き戸が閉じた状態では、手摺棒は引き戸正面に対向した位置で略水平状態でヒンジ機構と回転ローラを介して引き戸と案内レールに支持され、引き戸に開く方向の力が作用すると回転ローラが案内レールに沿って回転移動し手摺棒の他端を上方に押上げ、引き戸が全開状態では手摺棒は所定角度で上方に傾斜又は垂直状態でヒンジ機構と回転ローラを介して引き戸と案内レールに支持されるので、引き戸が全閉状態にあるときは手摺棒を通常の安定した手摺として使用でき、引き戸の全開状態では手摺棒が所定角度で上方に傾斜又は垂直状態にあるから引き戸を開くことにより形成される開口部への人や物の出入の支障とならない。
【００１４】
また、本引き戸用手摺を取り付けた引き戸装置の引き戸が全閉位置で敷居の凹状溝内でガタ付たり該凹状溝から脱落するのを防止する敷居ガタ付き脱落防止機構を備えているので、人が手摺棒を把持して引っ張っても引き戸は鴨居の凹凸部から外れて転倒することがないから、手摺棒は通常の安定した手摺としての作用を十分に果たすことができる。
【図面の簡単な説明】
【００１５】
【図１】本発明に係る引き戸用手摺を用いた引き戸装置の構成を示す図である。
【図２】本発明に係る引き戸用手摺の案内レールの概略構成を示す図である。
【図３】本発明に係る引き戸装置の引き戸が全閉した状態を示す図である。
【図４】本発明に係る引き戸装置の引き戸が全開した状態を示す図である。
【図５】本発明に係る引き戸用手摺の動作を説明するための図である。
【図６】本発明に係る引き戸装置の引き戸の敷居ガタ付脱落防止機構の概略構成を示す図である。
【図７】本発明に係る引き戸用手摺を用いた他の引き戸装置の構成を示す図である。
【図８】回転ローラの構成例を示す図である。
【発明を実施するための形態】
【００１６】
以下、本発明の実施の形態について、詳細に説明する。図１は本発明に係る引き戸用手摺を用いた引き戸装置の構成を示す図で、図１（ａ）は正面図、図１（ｂ）は縦断面図である。図において、１は引き戸であり、該引き戸１の上端部はハンガーレール１３を介して鴨居１１に吊り下げらされており、下端部はブレ止め部材１５を介して敷居１２に形成された凹状溝１４に係合されている。なお、図示は省略するが、引き戸１の下端面に凹状溝を設け、敷居１２の上面に該凹状溝に係合するブレ止め部材を設ける場合もある。図１（ａ）の実線は引き戸１の一側面１ｂが柱２の側面２ａに当接した状態、即ち引き戸１が全閉した状態を示す。３は引き戸１の正面に片側近傍に取り付けられた引き手であり、該引き手３を把持し、引き戸１を矢印Ａ方向に移動させ、全開状態になると２点鎖線に示す位置（図の右側の位置）となる。なお、引き戸１の２点鎖線で示されていない部分は、図示は省略するが図の右側に位置する戸袋に収納される。
【００１７】
４は引き戸用手摺の手摺棒であり、該手摺棒４の一端部はヒンジ機構（ボールベアリング付）５を介して引き戸１の側面に回動自在に取り付けられている。手摺棒４の他端にはブラケット６を介して回転ローラ７が回転自在に取り付けられている。８は前記回転ローラ７が回転して移動する案内レールであり、該案内レール８は後に詳述する回転ローラが転走する転走面を有する案内溝を有している。案内レール８は鴨居１１と敷居１２に固定された支柱９に取り付けられている。なお、案内レール８を取り付ける部分は支柱に限定されるものではなく、例えば引き戸１とは別体の壁等の固定体に所定部材を介して固定してもよい。
【００１８】
図２は本発明に係る引き戸用手摺の他端部とそれに係合する案内レール８の一端部の構成（案内レール８は断面を示す）を示す図である。手摺棒４は引き戸１が図１の実線で示す全閉状態では、引き戸１の正面に該正面から所定間隔Ｇだけ離れた位置に略水平状態でヒンジ機構５と回転ローラ７を介して引き戸１と案内レール８に支持されている。この全閉状態から、引き手３を把持して引き戸を矢印Ａ方向に移動させると、手摺棒４に矢印Ａ方向の力が作用する。この矢印Ａ方向の力が作用すると回転ローラ７は矢印Ｂ方向に回転し、案内レール８の転走面８ａを転走しながら二点鎖線で示すように上昇（押上げ）し、引き戸１が全開した状態では手摺棒４は図１の二点鎖線で示す位置、即ち手摺棒４は略垂直状態となる。
【００１９】
なお、図示は省略するが、案内レール８には、回転ローラ７が脱落することなく安定して回転するための凹状の回転ローラ転走溝が形成されており、該回転ローラ転走溝の底面が転走面８ａとなっている。また、案内レール８の下端部には手摺棒４の先端にブラケット６を介して取り付けた回転ローラ７が落下するのを防止するためのストッパーを兼ねたエンドキャップ８ｂが取り付けられている。
【００２０】
図３は引き戸１の全閉状態を、図４は引き戸１の全開状態を示す。図３に示すように、全閉状態で手摺棒４は引き戸１の正面に対向して略水平状態に維持されている。この状態で引き戸１に開き方向（矢印Ａ方向）の力が作用すると、この力を受けて手摺棒４の他端にブラケット６を介して取り付けた回転ローラ７が案内レール８の上記回転ローラ転走溝底面の転走面８ａを回転しながら上昇（押上げ）する。これに伴って手摺棒４はヒンジ機構５を中心に反時計方向に回動し、全開位置では図４に示すように、引き戸１の片側に略垂直状態になる。この状態でも手摺棒４はヒンジ機構５と回転ローラ７を介して引き戸１と案内レール８に支持されている。そして引き戸１の全開状態では、引き戸１が移動することにより形成された開口部１０内には手摺棒４は位置していないから、人や物が開口部１０を出入するのに支障とならない。
【００２１】
図５は引き戸１が開き方向に移動するに伴い、手摺棒４が水平位置から垂直位置に変位する状態を説明するための概念図である。図示するように手摺棒４に引き戸１の開き方向（矢印Ａ方向）の力が作用すると、手摺棒４はヒンジ機構５を中心に水平位置から徐々に回動（図では反時計方向に回動）すると共に、その他端部は上昇し、引き戸１が全開状態で略垂直状態となる。このとき引き戸１の開き開始から手摺棒４の他端部がスムーズに上昇していくためには、回転ローラ７が案内レール８の転走面８ａをスムーズに回転し転走する必要がある。そのため案内レール８の回転ローラ７の転走面８ａを図２に示すように水平状態から垂直状態になるまで所定の曲率に設定することが必要となる。
【００２２】
また、引き戸１の開き開始から手摺棒４がヒンジ機構５を中心にスムーズに反時計方向に回動するのを助けるために、手摺棒４の他端に取り付けたブラケット６にロープ１６の一端を係止し、該ロープ１６の他端を例えばバネ駆動の巻上下ローラ等で構成されるバランス用巻上下機構１７に取り付けることにより、手摺棒４の他端の押上荷重を軽減させることが可能となる。なお、バランス用巻上下機構１７としてはロープ１６を滑車を経由して下降させ、その下端に手摺棒４の重量とバランスする錘を吊り下げることにより、手摺棒４の他端の押上げ荷重を軽減させる構成を採用することが可能となる。
【００２３】
上記構成の引き戸用手摺を取り付けた引き戸装置において、引き戸１が全閉状態で安定している必要がある。引き戸１が敷居との間でガタつくと、手摺棒４が引き戸１と共にガタつくことになり、手摺棒４を利用する人に不安感を与える。例えば引き戸の下端と敷居の凹状溝との間に磨耗等により大きな間隙があると、引き戸がガタツク場合が多い。このような場合、引き戸のガタツキや脱落を防止する敷居ガタ付脱落防止機構を設けるとよい。  
【００２４】
図６は引き戸１のガタつきや脱落を防止する敷居ガタ付脱落防止機構の一概略構成例を示す図である。図示するように、引き戸１の全閉時引き戸１の側端面１ｂが当接する柱２の側面に突起部２０を設けると共に、引き戸１の側端面には該突起が挿入される穴２１を設け、引き戸１の全閉時に柱２の突起部２０が引き戸１の穴２１にガタつきなく挿入される構成とすれば、引き戸１の全閉時のガタつきや敷居又は鴨居からの脱落を防止できる。なお、敷居ガタ付脱落防止機構は突起部２０を引き戸１側に、穴２１を柱２側に設けて構成してもよい。また、敷居ガタ付脱落防止機構は１個ではなく、例えば柱２と引き戸１が当接する部分の上下の２箇所又はそれ以上に設けてもよい。
【００２５】
上記実施形態例では、引き戸１を一個備えた引き戸装置を示したが、引き戸１は一個に限定されるものではなく、例えば図７に示すように、左右に二個の引き戸１、１を設けると共に、中央部に二本の支柱９、９を設け、それぞれの支柱２、２に案内レール８、８を設け、それぞれの引き戸１は中央に向って矢印Ａ、Ａに示すように移動させることにより開く構成としてもよい。なお、図示は省略するが、支柱９、９及び案内レール８、８をそれぞれ図７とは反対側に設け、左右の引き戸を反中央側（矢印Ａ、Ａと反対方向）に移動させることにより、夫々の引き戸を開くように構成してもよい。また、引き戸１の数は３個以上でもよい。
【００２６】
また、上記引き戸装置では、図４に示すように、引き戸１の全開状態では手摺棒４が開口部１０の側部に収まるように案内レール８を配置したが、例えば開口部１０の外側に引き戸が全開状態時に手摺棒４を収納する手摺棒収納部を設けるようにしてもよい。このように引き戸１を設けた場合、全開状態で手摺棒４は必ずしも垂直状態にある必要がなく、手摺棒収納部に収納される範囲で所定の角度で上方に傾斜した状態としてもよい。この場合は案内レール８の転走面８ａの曲率は全開状態で手摺棒４が垂直状態になる場合より、緩やかにすることが可能である転走面の設定が容易となる。また、この場合は案内レール８の転走面８ａは所定角度傾斜して直線状に上昇する転走面でもよい。
【００２７】
なお、上記構成の引き戸装置において、手摺が使用されているとき、又は付近に人がいるとき、引き戸１の裏側にいる者がそれを知らずに引き戸１を開くと危険である。このようなことを防ぐため、手摺を使用している人又は引き戸１の正面側で手摺近傍に居る人を検知するセンサを設け、該センサが人を検知した場合、引き戸１が開閉すると危険である旨を表示するランプ等の表示手段、或いは音声で例えば「引き戸の正面側に人が居ります、引き戸を開閉しないで下さい」等の現在引き戸を開閉しては危険である旨を促すメッセージ発声手段、或いは引き戸をロックして強制的に開閉を阻止する手段のいずれか１つ又は２以上を設けてもよい。また、引き戸１の正面側に人が居るか居ないかを確認できる穴或いは透明なガラス板やプラスチック板を具備する窓を設けてもよい。
【００２８】
図８は回転ローラ７の構成例を示す図であり、図８（ａ）は正面断面図、図８（ｂ）は側面図である。図示するように回転ローラ７は環状のベアリング７ａを具備し、該ベアリング７ａの外環に樹脂又はゴム層７ｂを設けた構成である。ベアリング７ａの中心部に設けた穴７ｃに図示しない軸を嵌挿し、該軸の両端をブラケット６に固着（ブラケット６が所定の間隔で２枚設けられている場合）又は該軸の片端をブラケット６に固着（ブラケット６が１枚設けられている場合）する。回転ローラ７を上記のように構成することにより、樹脂又はゴム層７ｂが案内レール８の転走面８ａを転走することになり、転走時の騒音を回避できる。また、ローラ７は上記構成に限定されるものではなく、例えば全体を筒状の樹脂材で構成し、該樹脂材がブラケット６に固着された軸の回りを回転するように構成してもよい。要はブラケット６に固着された軸の回りを回転できる構成であればどのような構成でもよい。
【００２９】
以上、本発明の実施形態例を説明したが、本発明は上記実施例に限定されるものではなく、特許請求の範囲、及び明細書と図面に記載された技術的思想の範囲内において種々の変形が可能である。なお、直接明細書及び図面に記載がない何れの形状や構造であっても、本願発明の作用効果を奏する以上、本願発明の技術範囲である。例えば、上記実施形態例では吊り下げ式引き戸を例に説明したが、例えば上下の鴨居敷居の凹状溝に引き戸の上下端面に凸条突起が係合した摺動する構成の引き戸を有する引き戸装置にも本発明に係る引き戸用手摺は使用できる。
【産業上の利用可能性】
【００３０】
本発明は、引き戸が閉じた状態では、手摺棒は引き戸正面に対向した位置で略水平状態でヒンジ機構と回転ローラを介して引き戸と案内レールに支持され、引き戸に開く方向の力が作用すると回転ローラが案内レールに沿って回転移動し手摺棒の他端を上方に押上げ、引き戸が全開状態では手摺棒は所定角度で上方に傾斜した状態又は垂直状態でヒンジ機構と回転ローラを介して引き戸と案内レールに支持されるので、引き戸が全閉状態にあるときは手摺棒を通常の安定した手摺として使用でき、引き戸が全開状態では手摺棒が所定角度で上方に傾斜した状態又は垂直状態にあるから引き戸を開くことにより形成される開口部への人や物の出入の支障とならない引き戸用手摺及び該引き戸用手摺を備えた引き戸装置として利用することができる。
【符号の説明】
【００３１】
１  引き戸
２  柱
３  引き手
４  手摺棒
５  ヒンジ機構
６  ブラケット
７  回転ローラ
８  案内レール
９  支柱
１０  開口部
１１  鴨居
１２  敷居
１３  ハンガーレール
１４  凹状溝
１５  ブレ止め部材
１６  ロープ
１７  バランス用巻上下機構
２０  突起部
２１  穴
【図１】
2011231513.tif 000003
【図２】
2011231513.tif 000004
【図３】
2011231513.tif 000005
【図４】
2011231513.tif 000006
【図５】
2011231513.tif 000007
【図６】
2011231513.tif 000008
【図７】
2011231513.tif 000009
【図８】
2011231513.tif 000010
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
引き戸に一端又は該一端の近傍がヒンジ機構で回転自在に支持された手摺棒と、前記引き戸とは別体の固定体に取り付けられた案内レールと、前記手摺棒に前記ヒンジ機構から他端側に所定の間隔を設けて回転自在に取り付けられ前記案内レールに沿って移動する回転ローラとを備え、
前記案内レールは前記引き戸の開く方向に向って所定の曲率で水平状態から垂直状態に至るか又は所定角度傾斜して直線状に上昇する構成であり、且つ断面が凹状でその底部が前記回転ローラが回転する転走面となる回転ローラ転走溝を有する構成であり、
前記引き戸が閉じた状態では、前記手摺棒は前記引き戸正面に対向した位置で略水平状態で前記ヒンジ機構と前記回転ローラを介して前記引き戸と前記案内レールに支持され、
前記引き戸に開く方向の力が作用すると前記回転ローラが案内レールに沿って回転移動し前記手摺棒の他端を上方に押上げ、前記引き戸が全開状態では前記手摺棒は所定角度で傾斜した状態又は垂直状態で前記ヒンジ機構と前記回転ローラを介して前記引き戸と前記案内レールに支持されることを特徴とする引き戸用手摺。
【請求項２】
請求項１に記載の引き戸用手摺において、
前記案内レールは前記引き戸とは別体の支柱に取り付けられていることを特徴とする引き戸用手摺。
【請求項３】
請求項１又は２に記載の引き戸用手摺において、
前記手摺棒の他端又はその近傍にロープの一端を取り付け、該ロープの他端は前記手摺棒の他端の押上げ荷重を軽減させるバランサ用巻上下機構に取り付けられていることを特徴とする引き戸用手摺。
【請求項４】
１個又は複数個の引き戸を備えた引き戸装置であって、
前記各引き戸に請求項１乃至３のいずれか１項に記載の引き戸用手摺を取り付けたことを特徴とする引き戸装置。
【請求項５】
請求項４に記載の引き戸装置において、
前記引き戸が全閉位置で敷居の凹状溝内でガタついたり、該凹状溝から脱落するのを防止する敷居ガタ付き脱落防止機構を備えていることを特徴とする引き戸装置。
【手続補正２】
【補正対象書類名】明細書
【補正対象項目名】０００７
【補正方法】変更
【補正の内容】
【０００７】
上記課題を解決するため本発明は、引き戸に一端又は該一端の近傍がヒンジ機構で回転自在に支持された手摺棒と、引き戸とは別体の固定体に取り付けられた案内レールと、手摺棒にヒンジ機構から他端側に所定の間隔を設けて回転自在に取り付けられた案内レールに沿って移動する回転ローラとを備え、案内レールは引き戸の開く方向に向って所定の曲率で水平状態から垂直状態に至るか又は所定角度傾斜して直線状に上昇する構成であり、且つ断面が凹状でその底部が回転ローラが回転する転走面となる回転ローラ転走溝を有する構成であり、引き戸が閉じた状態では、手摺棒は引き戸正面に対向した位置で略水平状態でヒンジ機構と回転ローラを介して引き戸と案内レールに支持され、引き戸に開く方向の力が作用すると回転ローラが案内レールに沿って回転移動し手摺棒の他端を上方に押上げ、引き戸が全開状態では手摺棒は所定角度で傾斜した状態又は垂直状態でヒンジ機構と回転ローラを介して引き戸と案内レールに支持されることを特徴とする引き戸用手摺にある。
【手続補正３】
【補正対象書類名】明細書
【補正対象項目名】０００８
【補正方法】削除
【補正の内容】
【手続補正４】
【補正対象書類名】明細書
【補正対象項目名】００１３
【補正方法】変更
【補正の内容】
【００１３】
本発明によれば、引き戸が閉じた状態では、手摺棒は引き戸正面に対向した位置で略水平状態でヒンジ機構と回転ローラを介して引き戸と案内レールに支持され、引き戸に開く方向の力が作用すると回転ローラが案内レールに沿って回転移動し手摺棒の他端を上方に押上げ、引き戸が全開状態では手摺棒は所定角度で上方に傾斜又は垂直状態でヒンジ機構と回転ローラを介して引き戸と案内レールに支持されるので、引き戸が全閉状態にあるときは手摺棒を通常の安定した手摺として使用でき、引き戸の全開状態では手摺棒が所定角度で上方に傾斜又は垂直状態にあるから引き戸を開くことにより形成される開口部への人や物の出入の支障とならない。
また、案内レールがその断面が凹状でその底部が回転ローラが回転する転走面となる回転ローラ転走溝を有する構成であるから、回転ローラは回転ローラ転走溝から脱落することなく、手摺棒はヒンジ機構と回転ローラを介して引き戸と固定体に取り付けられた案内レールに安定して支持されることになる。
【手続補正５】
【補正対象書類名】明細書
【補正対象項目名】００２６
【補正方法】変更
【補正の内容】
【００２６】
また、上記引き戸装置では、図４に示すように、引き戸１の全開状態では手摺棒４が開口部１０の側部に収まるように案内レール８を配置したが、例えば開口部１０の外側に引き戸が全開状態時に手摺棒４を収納する手摺棒収納部を設けるようにしてもよい。このように手摺棒収納部を設けた場合、全開状態で手摺棒４は必ずしも垂直状態にある必要がなく、手摺棒収納部に収納される範囲で所定の角度で上方に傾斜した状態としてもよい。この場合は案内レール８の転走面８ａの曲率は全開状態で手摺棒４が垂直状態になる場合より、緩やかにすることが可能である転走面の設定が容易となる。また、この場合は案内レール８の転走面８ａは所定角度傾斜して直線状に上昇する転走面でもよい。